(57)【要約】      （修正有）【課題】透光シート上に遮光シートを展張したときに遮光シートを破損させないようにしたシート押え紐の止め具を提供する。【解決手段】透光シートＣ上に架け渡した紐Ｂを蟻溝フレームＤ側に引掛けるシート押え紐の止め具Ａにおいて、それぞれ弾性線材を屈曲して成形した係止バネ１と、上記係止バネ１に連結した紐取付け部３と、上記紐取付け部３の基端側に形成した一対の引掛け部とからなり、上記係止バネ１をバネ本体と一対の係止片１Ｂ、１Ｃとで構成させ、上記紐取付け部３を一対の腕部３Ａ、３Ｃと、フック部３Ｂとで構成させ、一方の引掛け部を起立片２Ａで構成させ、他方の引掛け部を連結片４Ａと係止片４Ｂとで構成させたことを特徴とする。【選択図】図１
2019106902.tif 000002
【特許請求の範囲】
【請求項１】
蟻溝フレーム（Ｄ）内に係止線条（Ｐ１）を介して定着させた透光シート（Ｃ）上に架け渡した紐（Ｂ）を蟻溝フレーム（Ｄ）側に引掛けるシート押え紐の止め具（Ａ）において、
それぞれ弾性線材を屈曲して成形した係止バネ（１）と、上記係止バネ（１）に連結した紐取付け部（３）と、上記紐取付け部（３）の基端側に形成した一対の引掛け部（２）、（４）とをからなり、
上記係止バネ（１）を平面視Ｃ字状又は台形状のバネ本体（１Ａ）と、上記バネ本体（１Ａ）の両端に設けた一対の係止片（１Ｂ）、（１Ｃ）とで構成させ、
上記紐取付け部（３）を上記係止バネ（１）に対向して水平に延ばした一対の腕部（３Ａ）、（３Ｃ）と、上記各腕部（３Ａ）、（３Ｃ）の各先端部から内側に屈曲して連結させた平面視二股状のフック部（３Ｂ）とで構成させ、
上記一方の引掛け部（２）を上記一方の係止片（１Ｃ）の端部から上方に起立して上記一方の腕部（３Ａ）の基端部に連結した起立片（２Ａ）で構成させ、
上記他方の引掛け部（４）を上記他方の腕部（３Ｃ）の基端部から下方に延ばした連結片（４Ａ）とこの連結片（４Ａ）の下端に連結した平面視水平な係止片（４Ｂ）とで構成させたことを特徴とするビニールハウスにおけるシート押え紐の止め具。
【請求項２】
上記フック部（３Ｂ）は湾曲した頭部（３Ｂ１）と、上記頭部（３Ｂ１）の両端からそれぞれ傾斜させながら上記腕部（３Ａ）、（３Ｃ）の先端に連結した一対の脚部（３Ｂ２）、（３Ｂ３）とから構成され、上記各脚部（３Ｂ２）、（３Ｂ３）の収斂した外周と上記各腕部（３Ａ）、（３Ｃ）の内周との間にそれぞれ傾斜した紐差込用の溝（６Ａ）、（６Ｂ）を形成していることを特徴とする請求項１に記載のビニールハウスにおけるシート押え紐の止め具。
【請求項３】
上記各腕部（３Ａ）、（３Ｃ）は各先端部が近づく方向に傾斜し、同じく上記各腕部（３Ａ）、（３Ｃ）は各先端部が近づく方向に傾斜していることを特徴とする請求項２に記載のビニールハウスにおけるシート押え紐の止め具。
【請求項４】
上記バネ本体（１Ａ）は水平片（１Ｄ）と、上記水平片（１Ｄ）の両端に連結した一対の傾斜片（１Ｅ）、（１Ｅ）とで構成され、上記水平片（１Ｄ）と上記一対の係止片（１Ｂ）、（１Ｃ）とを上記蟻溝フレーム（Ｄ）の内側面に弾性的に当接させ、上記一対の引掛け部（２）、（４）を上記蟻溝フレーム（Ｄ）の側壁上端に引掛けることを特徴とする請求項１、２又は３のいずれか一項に記載のビニールハウスにおけるシート押え紐の止具。
【発明の詳細な説明】
【技術分野】
【０００１】
本発明は、ビニールハウスに展張された透光シートのばたつきを防止するシート押え紐の止め具に関するものである。
【背景技術】
【０００２】
この種従来のビニールハウスではアーチパイプからなる骨組にシートの定着装を利用して透明又は半透明な透光シートが展張され、この透光シートから太陽光線を透過させて植物を育成している。
【０００３】
更に、従来のビニールハウスでは屋根面や側面に換気用の開口部を設け、この開口部を巻上げパイプに巻き付けた透光シートの巻上げ又は巻き戻しで開閉して換気を行っている。
【０００４】
他方、展張された透光シートは風その他の外力が作用するとバタツキが発生し、シートの定着装置から外たり、破れたりする恐れがある。
【０００５】
同様に、換気用の巻上げパイプも風圧等の外力で煽られて傾きあるいは振動して開閉操作に悪影響を与える恐れがある。
【０００６】
この為、従来は透光シートの外面に一つ又は複数の紐を当接させて透光シートのバタツキを防止している。
【０００７】
同じく、巻上げパイプに巻き付けたロール状の透光シート上にも紐を当接させて巻上げパイプの傾き、振動等を防止させている。
【０００８】
そして、この紐を固定する為にシートの定着装置にシート押え紐の止め具を取付け、この止め具に紐の端部を接続している。
【０００９】
このシート押え紐の止め具としては、例えば、実公平４−１０７６３号公報に開示されているような弾性線材で屈曲成形した止め具が使用されている。
【００１０】
この止め具はシートを定着用の蟻溝フレーム内に嵌合する平面視台形状の係止線条と、この係止線条の端部に導出部を介して連結した一つの棒状の腕部と、この腕部に連結して透光シート上に配置されているＵ字状のフック部とからなるもので、このフック部に透光シート上に架け渡された紐の端部を引掛けるようにしている。
【００１１】
この止め具によれば、フック部が係止線条を介して蟻溝フレームに保持されているので、このフック部に引掛けた紐が外れずに透光シートの外周にしっかりと均一に当接し、その結果、透光シートのバタツキが防止される。
【先行技術文献】
【特許文献】
【００１２】
【特許文献１】実公平４−１０７６３号公報（実用新案登録請求の範囲、図２参照）
【発明の概要】
【発明が解決しようとする課題】
【００１３】
しかしながら、上記従来のシート押え紐の止め具は、機能上の欠陥があるわけではないが、次のような不具合の改善が望まれている。
【００１４】
すなわち、従来のビニールハウスでは、透光シートを介してビニールハウス内に太陽光線を照射させて植物の育成を図っているが、ビニールハウス内の温度や湿度が高くなり過ぎると逆に植物に悪影響を与える。
そこで、これを防止する為、上記のように巻上げパイプに巻き付けた透光シートの巻上げ、巻き戻しで換気を行い、或いは、透光シートの外面上に遮光シートを展張させて日光の照射を規制する場合がある。
【００１５】
しかるに、上記従来のシート押え紐の止め具におけるフック部は透光シートより上方に起立しているので、フック部の尖った先端が遮光シートを展張する操作時にこのフック部先端が遮光シートの下面に当たり、或いは、遮光シートを展張した後でも、例えば、風圧等の外力で遮光シートが振動するとこのフック部の先端が遮光シートに突き刺さり、或いは亀裂を発生させ、遮光シートを破損させる恐れがある。
【００１６】
更に、上記従来の止め具は蟻溝フレームに引掛ける腕部が一本であるから安定性に劣り換気用の巻上げパイプが風で煽られて傾き、あるいは振動した時その衝撃でシート押え紐の止め具が振動して外れたり、破損する恐れもある。
【００１７】
そこで、本発明の目的は、透光シート上に遮光シートを展張する時、又は展張後この遮光シートを破損させないようにし、また、換気用の巻上げパイプが振動しても蟻溝フレームから外れたり、破損するのを防止できるシート押え紐の止め具を提供することである。
【課題を解決するための手段】
【００１８】
上記の目的を達成するため、本発明の手段は、蟻溝フレーム内に係止線条を介して定着させた透光シート上に架け渡した紐を引掛けるシート押え紐の止め具において、
それぞれ弾性線材を屈曲して成形した係止バネと、上記係止バネに連結した紐取付け部と、上記紐取付け部の基端側に形成した一対の引掛け部とからなり、
上記係止バネを平面視Ｃ字状又は台形状のバネ本体と、上記バネ本体の両端に設けた一対の係止片で構成させ、
上記紐取付け部を上記係止バネに対向して水平に延ばした一対の腕部と、上記各腕部の各先端部から内側に屈曲して連結させた平面視二股状のフック部とで構成させ、
上記一方の引掛け部を上記一方の係止片の端部から上方に起立して上記一方の腕部の基端部に連結した起立片で構成させ、
上記他方の引掛け部を上記他方の腕部の基端部から下方に延ばした連結片とこの連結片の下端に連結した平面視水平な係止片とで構成させたことを特徴とする。
【発明の効果】
【００１９】
本発明によれば、次の効果を達成できる。
【００２０】
Ａ）一方と他方の一対の引掛け部のうち、他方の引掛け部における連結片は下方に延びているからこの連結片の下部に連結した係止片を蟻溝フレームに対向させることができる。
従って、使用時に引掛け部を蟻溝フレームに引掛けた時係止片の先端エッジは蟻溝フレームの側壁内に納めることができる。
その結果、このエッジは透光シートより上方に飛び出さないので透光シート上に展張した遮光シートと干渉せず、この遮光シートを破断させるのを防止できる。
【００２１】
Ｂ）一対の引掛け部が紐取付け部の基端側に形成されているのでこの引掛け部を介して紐取付け部の基端両側が均一に蟻溝フレームの側壁に安定して引掛けることができ、その結果紐取付け部に引掛けられた紐が透光シート上で捩れることなく均一に架け渡される。
【００２２】
同様に紐を換気用の巻上げパイプ上に架け渡した時巻上げパイプが風圧等で振動しても安定して蟻溝フレームに保持されており、外れたり、破損するのが防止できる。
【図面の簡単な説明】
【００２３】
【図１】本発明の一実施の形態に係るシート押え紐の止め具に紐を取付けた状態を示すビニールハウスの一部拡大斜視図である。
【図２】図１の右側面図である。
【図３】図１の左側面図である。
【図４】（Ａ）は図１に示すシート押え紐の止め具の平面図、（Ｂ）は同左側面図、（Ｃ）は同右側面図である。
【図５】本発明の一実施の形態に係るシート押え紐の止め具の斜視図である。
【図６】本発明の一実施の形態に係るシート押え紐の止め具と遮光シートを取付けた状態のビニールハウスの一部切欠き斜視図である。
【図７】図６のＸ―Ｘ線縦断側面図である。
【図８】図６のＹ−Ｙ線縦断側面図である。
【図９】ビニールハウスの一部切欠き斜視図である。
【発明を実施するための形態】
【００２４】
以下本発明の一実施の形態に係るシート押え紐の止め具を図１〜図９に基づいて説明する。
【００２５】
本発明は、ビニールハウスに展張された透光シートのばたつきを防止するシート押え紐の止め具に関するものである。
【００２６】
ビニールハウスＨは図９に示すように、地上に起立した多数のアーチパイプＦと、アーチパイプＦ、Ｆ間に架設した骨組を兼ねた多数の開口部巾狭の蟻溝フレームＤと、蟻溝フレームＤ内に定着されながらアーチパイプＦ上に展張した透光シートＣとを備え、透光シートＣからビニールハウスＨ内に太陽光線を照射させて植物を育成している。
【００２７】
上記ビニールハウスＨでは側面部に換気用の巻上げパイプを設け、この巻上げパイプに透光シートを巻き付け、又は巻き戻して換気を行っているが、この巻上げパイプに巻き付けたロール上に紐Ｂを架け渡して巻き付けパイプの振動や傾きの発生を防止させている。
【００２８】
さらに、図示していないが、透光シートＣに風圧その他の外力が作用するとこれがばたつくので、この透光シートＣ上にシート押え紐Ｂを架け渡し、このシート押え紐Ｂの端部はシート押え紐の止め具を介して蟻溝フレームＤに取付けている。
【００２９】
また、夏季等においては、ビニールハウスＨ内の温度や湿度が高くなりすぎる場合は、図６で後述するように透光シートＣ上に遮光シートＧを展張し、この遮光シートＧも蟻溝フレームＤに定着させている。
【００３０】
以下詳細に説明する。
【００３１】
本発明のシート押え紐の止め具Ａは、図１に示すように、開口部が幅狭の蟻溝フレームＤ内に弾性な係止線条Ｐ１を介して定着させた透光シートＣ上に架け渡した紐Ｂを蟻溝フレームＤ側に引掛けるものである。
【００３２】
蟻溝フレームＤは公知のように底部ａと、底部ａの両側から起立する一対の側壁ｂと、各側壁ｂの上端に設けたカール部ｃとからなり、係止線条Ｐ１は弾性線材を台形状に屈曲して連続させたバネからなり、係止線条Ｐ１で透光シートＣを蟻溝フレームＤの両側壁ｂの内周に圧接して定着させている。
【００３３】
そして、透光シートＣは蟻溝フレームＤに引掛けたシート押え紐の止め具Ａに引掛けたシート押え紐Ｂで押え込まれてバタツキの発生が防止されるようになっている。
【００３４】
なお、紐Ｂは透光シートＣの押えのみならず、換気用の巻上げパイプ上に架け渡してこの巻上げパイプの傾きや振動の発生も防止できるようになっている。
【００３５】
シート押え紐の止め具Ａは図１〜図５に示すように、それぞれ弾性線材を屈曲して成形した係止バネ１と、係止バネ１に連結した紐取付け部３と、紐取付け部３の基端部に形成した一対の引掛け部２、４とを備えている。
【００３６】
係止バネ１は平面視台形状のバネ本体１Ａと、バネ本体１Ａの両端に設けた一対の係止片１Ｂ、１Ｃとで構成させている。
【００３７】
この場合、バネ本体１Ａは水平片１Ｄと、水平片１Ｄの両端に連結した一対の傾斜片１Ｅ、１Ｅとで台形状に構成され、各傾斜片１Ｅ、１Ｅの端部にＣ字状に湾曲させた係止片１Ｂ、１Ｃを連結している。
【００３８】
但し、バネ本体１Ａは平面視Ｃ字状に成形し、直接両端に係止片１Ｂ、１Ｃを設けても良い。
【００３９】
紐取付け部３は図４（Ａ）に示すように、係止バネ１に対向して水平に、即ち、図において右側に向けて延ばした一対の腕部３Ａ、３Ｃと、各腕部３Ａ、３Ｃの右側各先端部から内側に屈曲して連結させた平面視二股状のフック部３Ｂとで構成させている。
【００４０】
このフック部３Ｂは湾曲した頭部３Ｂ１と、頭部３Ｂ１の両端からそれぞれ傾斜させながら上記腕部３Ａ、３Ｃの右側先端に連結した一対の脚部３Ｂ２、３Ｂ３とから構成されて平面視Ω字状に成形されている。
【００４１】
特に、各脚部３Ｂ２，３Ｂ３は各先端部が近づく方向に傾斜しており、同じく上記各腕部３Ａ、３Ｃも各先端部が近づく方向に傾斜させている。
【００４２】
これにより、各脚部３Ｂ２、３Ｂ３の収斂した外周と上記各腕部３Ａ、３Ｃの内周との間にそれぞれ傾斜した一対の紐差込用の溝６Ａ、６Ｂが形成されている。
【００４３】
フック部３Ｂは図示のように平面視Ω字状に形成されているが、Ｕ字状、コ字状、又は逆Ｖ字状に成形しても使用可能である。
次に、上記一方の引掛け部２は係止バネ１における一方の係止片１Ｃとこの係止片１Ｃの端部から上方に起立して上記一方の腕部３Ａの左側基端部に連結した起立片２Ａで構成させ、他方の引掛け部４は上記他方の腕部３Ｃの左側基端部から下方に延ばした連結片４Ａと、この連結片４Ａの下端に連結した平面視水平な係止片４Ｂとで構成させている。
この場合、上記他方の連結片４Ａを下方に延ばして係止片４Ｂに連結させたことは、逆に言えば係止片４Ｂから立ち上がっていることになる。
この連結片４Ａは図示のようにＣ字状に湾曲させているが、コ字状に成形しても良い。
係止バネ１は、これを蟻溝フレームＤ内に嵌合した時バネ本体１Ａにおける水平片１Ｄと一対の係止片１Ｂ、１Ｃとは上記蟻溝フレームＤの内側面に弾性的に当接させるようになっている。
また、各起立片２Ａと連結片４Ａの縦方向の長さ分紐取付け部３は蟻溝フレームＤの上方に飛び出し、透光シートＣに接触しないようになっている。
【００４４】
更に、上記一対の引掛け部２、４を上記蟻溝フレームＤの側壁ｂに引掛けるようになっている。
【００４５】
次に、シート押え紐の止め具Ａとこれに引掛ける紐Ｂの取付け工程を図１に基づいて説明する。
【００４６】
図１に示すように、透光シートＣは上記したように、係止線条Ｐ１を介して蟻溝フレームＤに定着されながら、図９に示すように予めビニールハウスの側面や屋根面に展張される。
【００４７】
次にシート押え紐Ｂは予め蟻溝フレームＤに取付けられているシート押え紐の止め具Ａに引掛けられながら透光シートＣ上に架け渡され、これによりこのシート押え紐Ｂのテンションで透光シートＣが押え込まれ、風圧、振動等の外力が透光シートに作用してもこれがバタつくのを防止されるようになっている。
【００４８】
シート押え紐の止め具Ａは図１〜図３に示すように、まず蟻溝フレームＤ内にバネ本体１Ａを係止線条Ｐ１上に重ねて嵌合させ、次いで水平片１Ｄと各係止片１Ｂ、１Ｃの側面をそれぞれ蟻溝フレームＤの側壁ｂの内周にバネ力で圧接させる。
【００４９】
この状態では図２に示すように一方の引掛け部２の起立片２Ａは側壁ｂの内周に圧接した係止片１Ｃを介して側壁ｂに引掛けられながら蟻溝フレームＤの上方に導出される。
また、同時に、他方の引掛け部４の連結片４Ａは図３に示すように側壁ｂの内周に圧接した係止片４Ｂを介してこの側壁ｂに引掛けられながら蟻溝フレームＤの上方に導出される。
この場合、他方の連結片４Ａは図３に示すように側壁ｂの上端カール部ｃに係合させて引掛けても良い。
【００５０】
この取付け工程により、紐取付け部３は基端側が蟻溝フレームＤの側壁ｂに引掛けられて固定された状態で水平に延びて保持される。
【００５１】
この場合、図２に示すように、各腕部３Ａ、３Ｃは起立片２Ａ、連結片４Ａの長さ分透光シートＣより上方に配置される。
言い換えれば紐取付け部３の全体が透光シートＣより上方に位置し、透光シートＣに接触しないようにしている。
この時、図２、図３に示すように、係止片４Ｂと係止バネ１との間には隙間Ｗ１が形成される。
【００５２】
次に、この状態で、図１に示すように、フック部３Ｂに紐Ｂを引掛けながら溝６Ａ、６Ｂ内に嵌合させて引張込むと紐Ｂはフック部３Ｂから抜けなくなる。
【００５３】
この場合、フック部３Ｂにおける各脚部３Ｂ２、３Ｂ３の外周は収斂していて各腕部３Ａ、３Ｃの内周との間の紐差込用の溝６Ａ、６Ｂはそれぞれ傾斜しているので風圧等の自然な外力が作用しても嵌合した紐Ｂはフック部３Ｂから抜けないようになっている。
【００５４】
特に、上記の係止片４Ｂと引掛け部２の係止片１Ｃとは蟻溝フレームＤの一方の側壁ｂ内に引掛けられながら収まっていて蟻溝フレームＤより上方に飛び出さないようになっており、結果的に紐取付け部３が曲げ戻されたり、疲労で破断するのが防止されるようになっている。
【００５５】
次に、図１の状態から、更に透光シートＣ上に遮光シートＧを展張する工程を図６に基づいて説明する。
【００５６】
即ち、図１に示すように予め透光シートＣを展張した状態で遮光シートＧはこの透光シートＣの定着と同じように他の弾性な係止線条Ｐ２を介して蟻溝フレームＤ内に定着させながら透光シートＣ上に開閉自在に展張させる。
【００５７】
上記遮光シートＧの定着用係止線条Ｐ２は上記した透光シートＣの定着用の係止線条Ｐ１と構造は同じである。
この係止線条Ｐ２は図７、図８に示すようにシート紐押え紐の止め具Ａにおける係止バネ１の上に重ねて蟻溝フレームＤ内に嵌合され、この状態で遮光シートＧを蟻溝フレームＤ内に定着させるようになっている。
この際、図２、図３で説明したように、係止バネ１と係止片４Ｂとの間に隙間Ｗ１が形成されているので、図７、図８に示すように係止線条Ｐ２を係止バネ１上に重ねたとしてもこの係止線条Ｐ２はこの隙間Ｗ１の範囲内に挿入できるようになっており、スムースに蟻溝フレームＤ内に嵌合できる。
【００５８】
上記のように遮光シートＧを透光シートＣ状に展張したとき、シート押え紐の止め具Ａ側の端部エッジたる係止片４Ｂは蟻溝フレームＤの一方の側壁ｂ内に収まっているので遮光シートＧとは干渉しない。
【００５９】
従って、遮光シートＧを展張する操作時や、展張後外力で遮光シートが振動した時でもこの遮光シートＧに孔をあけ、或いは、破断ささせるのが防止される。
【００６０】
すなわち、本発明によれば、一方と他方の一対の引掛け部２、４のうち、他方の引掛け部４における連結片４Ａは下方に延びているからこの連結片４Ａに連結した係止片４Ｂは蟻溝フレームＤの側壁ｂに対向させることができる。
従って、使用時に引掛け部４を蟻溝フレームＤに引掛けた時連結片４Ａの先端エッジは蟻溝フレームＤの側壁ｂ内に納めることができる。
その結果、このエッジは透光シートＣより上方に飛び出さないので透光シートＣ上に展張した遮光シートＧと干渉せず、この遮光シートＧを破断させるのを防止できる。
更に、一対の引掛け部２、４が紐取付け部３の基端側に形成されているのでこれらの紐取付け部３の基端両側が均一に蟻溝フレームＤに安定して引掛けることができ、その結果紐取付け部３に引掛けられた紐Ｂが透光シートＣ上で捩れることなく均一に架け渡される。
【符号の説明】
【００６１】
Ａ  シート押え紐の止め具
Ｂ  紐
Ｃ  透光シート
Ｄ  蟻溝フレーム
Ｇ  遮光シート
Ｐ１、Ｐ２  係止線条
１  係止バネ
１Ａ  バネ本体
１Ｂ、１Ｃ  係止片
１Ｄ  水平片
１Ｅ  傾斜片
２  引掛け部
２Ａ  起立片  
３  紐取付け部
３Ａ、３Ｃ  腕部
３Ｂ  フック部
３Ｂ１  頭部
３Ｂ２、３Ｂ３  脚部
４  引掛け部
４Ａ  連結片
４Ｂ  係止片
６Ａ、６Ｂ  溝
【図１】
2019106902.tif 000003
【図２】
2019106902.tif 000004
【図３】
2019106902.tif 000005
【図４】
2019106902.tif 000006
【図５】
2019106902.tif 000007
【図６】
2019106902.tif 000008
【図７】
2019106902.tif 000009
【図８】
2019106902.tif 000010
【図９】
2019106902.tif 000011